(57)【要約】【課題】折り線を介して連接された複数の葉片を折り畳み、任意の対向面を、疑似接着媒体を介して加圧により剥離可能に疑似接着してなる情報通信体において、圧力により情報通信体の折り部分やその近辺で紙材の破壊や印刷インクの転移を起こすことのない情報通信体を提供する。【解決手段】折り線３に沿って疑似接着媒体が形成されていない非接着領域７を設ける。【選択図】      図１
2004168020.tif 000002
【特許請求の範囲】
【請求項１】
折り線を介して連接された複数の葉片を折り畳み、任意の対向面を、疑似接着媒体を介して加圧により剥離可能に疑似接着してなる情報通信体において、疑似接着された対向面の疑似接着媒体の形成部分が前記対向面を連接する折線に沿って形成されていないことを特徴とした情報通信体。
【発明の詳細な説明】
【０００１】
【発明の属する技術分野】
本発明は、ダイレクトメール（ＤＭ）をはじめ葉書、往復葉書、封書等に利用可能な情報通信体に関する。詳しくは、見掛けは通常のＤＭ、葉書、往復葉書、封書であるにもかかわらず、多層に折り畳まれたシートの葉片が剥離可能に積層されているため、多量の情報を隠蔽状態で伝達することができる情報通信体に関する。
【０００２】
【従来の技術】
近年、葉書等の郵便物に情報が記載された複数の葉片を折り畳んで一体化し、多量の情報を郵送可能にした情報通信体が利用されるようになった。
そのような情報通信体として本出願人はすでに特開平０２−２００４９８「情報積層体用素材と同素材を用いた情報積層体及びその製造方法」を提供した。しかし前記発明によると、疑似接着媒体の疑似接着に加圧と加熱の両手段を必要とし、それぞれの手段を備えた複雑な構造の大掛かりな装置が必要になる。そこで特に複雑な装置を必要とする加熱手段を省き、簡素な加圧装置のみで疑似接着することが可能な疑似接着媒体を使用した情報通信体が考えられている（例えば、特許文献１参照）。
【０００３】
【特許文献１】
実開平４−２４３８６号公報
【０００４】
【発明が解決しようとする課題】
前記加圧手段で疑似接着する媒体としてＯＰワニス系、紫外線硬化系、溶剤蒸発乾燥系の樹脂被膜が好適に使用することができる。前記樹脂被膜は各種コーター方式等により容易に情報通信体用用紙の疑似接着予定面に形成することが可能で、樹脂被膜形成後に樹脂被膜同志が対向するよう情報通信体用用紙を折り込み、樹脂被膜同志を密着させて強圧を掛けることにより樹脂被膜同志が剥離可能に疑似接着される。
【０００５】
ところで例えば折り線を介して連接された葉書大寸法の２葉片を折り畳み、疑似接着被膜同志を対向させた情報通信体を加圧すると、圧力は葉片四方の各縁辺へと伝わりそこから外へと解放される。しかし折り線により連接されている２つ折り形態の折り部分は袋閉じのため掛けられる圧力の逃げ場がなく、結局折り部分の紙材を破壊してしまうのである。この現象は２つ折り形態に限らず３つ折りやそれ以上の葉片を折り畳む場合に生じる複数の折り部分全般に発生する。
また折り部分の紙材の破壊までに至らないまでも、掛けられる圧力が折り部分に集積するためその部分に形成されている対向する疑似接着媒体同志が完全接着してしまい、剥離展開後の印刷面表面における紙材の破壊や印刷インクの転移等の問題が頻繁に発生する。
本発明はかかる問題に鑑み、加圧により本体が破壊されることのない情報通信体を提供するものである。
【０００６】
【課題を解決するための手段】
上記目的を達成するために、本発明の情報通信体は、折り線を介して連接された複数の葉片を折り畳み、任意の対向面を、疑似接着媒体を介して加圧により剥離可能に疑似接着してなる情報通信体において、疑似接着された対向面の疑似接着媒体の形成部分が前記対向面を連接する折線に沿って形成されていないことを特徴としている。
【０００７】
本発明が特に効果を発揮する疑似接着媒体は、情報通信体用用紙に塗布された場合に連続的で厚みのある樹脂被膜を形成する疑似接着媒体であるが、必ずしもその必要はなく非連続的な樹脂被膜でも構わない。そのような樹脂は既述の通りであるが、これら樹脂被膜の情報通信体用紙への形成時期は情報通信体用用紙に各種印刷が施される前であってもよく、また形成時期の前後に渡り印刷が施されてもよく。さらに形成後に印刷が施されていても構わない。
【０００８】
折り込まれた情報通信体に掛けられる圧力は、葉片四方の各縁辺へと伝わり、そこから外へと解放される。そして折り線により袋閉じになった縁辺へ伝わる圧力は、折り線に沿って形成される疑似接着媒体が塗布されていない未接着部分で解放され緩和されるのである。
【０００９】
【作用】
疑似接着媒体が形成されていない折り線に沿った部分は、折り畳み後加圧しても密着することはない。従って折り込みにより疑似接着予定面が対向密着しても、この部分は密着していないため、この部分に伝わる圧力はこの僅かな部分で解放され緩和される。
【００１０】
【発明の実施の形態】
発明の実施の形態を実施例にもとづき図面を参照して説明する。
図１（Ａ）、（Ｂ）は本発明における最も基本的な２つ折り形態の葉書用紙の表面図と裏面図をそれぞれ表す。図２は２つ折り後に疑似接着した図１の葉書用紙の断面図を表す。
図１（Ａ）において本実施例の葉書用紙Ｓは、第１葉片１と第２葉片２が折り線３を介して連接されている。第１葉片１表面には郵便切手欄や郵便番号枠の他に受取人の住所氏名４が記載されている。また第２葉片２表面には広告宣伝等の情報５が記載されている。図１（Ｂ）において第１葉片１と第２は片２の裏面には受取人の個人情報６が記載されており、折り線３に沿って設けられた非接着域７以外の斜線で示される部分が疑似接着媒体が形成されている部分８である。
【００１１】
この葉書用紙Ｓは第１葉片１と第２葉片２の裏面同志が対向するように折り線３で折り畳まれ、加圧されることにより、図２の断面図に示すように疑似接着媒体同志が剥離可能に密着し葉書Ｘとして完成される。
この際、非接着部分７が圧力を解放し緩和するため図３に示す従来例のように折り部分で破断されることはない。
【００１２】
なお本発明は上記実施例に限られることはない。
例えば２つ折り以上の３つ折り形態でも、またそれ以上であっても構わない。折り様式に関しても蛇腹折り、巻き折り、観音開き、さらにそれらの複合が考えられるが、何れの場合も折り線に沿って非接着域を設ければよい。
【００１３】
【発明の効果】
本発明によれば、折り線を介して連接された複数の葉片を折り畳み、任意の対向面を、疑似接着媒体を介して加圧により剥離可能に疑似接着してなる情報通信体において、折り畳みにより生じる複数の折り部分で紙材の破壊が発生することがなくなる。また折り部分で疑似接着媒体同志が加圧により誤って完全接着することがあり得ないので、圧力が集積するその部分で発生しうる印刷面表面における紙材の破壊や印刷インクの転移等の問題が一切なくなる。
従って、素人でも簡単に大量の情報通信体を製造することが可能である。
【図面の簡単な説明】
【図１】（Ａ）及び（Ｂ）は本発明における最も基本的な２つ折り形態の葉書用紙の表面図と裏面図をそれぞれ表す。
【図２】２つ折り後に疑似接着した図１の葉書用紙の断面図を表す。
【符号の説明】
Ｓ  葉書用紙
Ｘ  葉書
１  第１葉片
２  第２葉片
３  折り線
４  受取人の住所氏名
５  広告宣伝等の情報
６  受取人の個人情報
７  非接着域
８  疑似接着媒体が形成されている部分
【図１】
2004168020.tif 000003
【図２】
2004168020.tif 000004
【図３】
2004168020.tif 000005
【手続補正書】
【提出日】平成15年1月30日(2003.1.30)
【手続補正１】
【補正対象書類名】明細書
【補正対象項目名】図面の簡単な説明
【補正方法】変更
【補正の内容】
【図面の簡単な説明】
【図１】（Ａ）及び（Ｂ）は本発明における最も基本的な２つ折り形態の葉書用紙の表面図と裏面図をそれぞれ表す。
【図２】２つ折り後に疑似接着した図１の葉書用紙の断面図を表す。
【図３】折り部で破断される従来例の断面図を表す。
【符号の説明】
Ｓ  葉書用紙
Ｘ  葉書
１  第１葉片
２  第２葉片
３  折り線
４  受取人の住所氏名
５  広告宣伝等の情報
６  受取人の個人情報
７  非接着域
８  疑似接着媒体が形成されている部分